【手続補正書】
【提出日】平成30年1月12日(2018.1.12)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、前記方法が、
ユーザ機器（ＵＥ）がターゲットセルからレイヤ１シグナリングによって新しいＴＤＤ構成情報を受信するために、前記ターゲットセルによって、拡張干渉緩和およびトラフィック適応（ｅＩＭＴＡ）構成情報を生成することと、
前記ターゲットセルによって、前記ターゲットセルへの前記ＵＥのハンドオーバを実行するためのハンドオーバコマンドを生成することと、ここにおいて、前記ハンドオーバコマンドが、時分割複信（ＴＤＤ）構成情報と前記ｅＩＭＴＡ構成情報とを含んでおり、
前記ターゲットセルによって、前記ハンドオーバコマンドを送信することと、
前記ターゲットセルによって、前記ハンドオーバが完了した後にレイヤ１シグナリングによって前記新しいＴＤＤ構成情報を前記ＵＥに送信することとを備える、方法。
【請求項２】
前記ｅＩＭＴＡ構成情報が、
グループ共通無線ネットワーク一時識別子（ＲＮＴＩ）、
グループインデックス、または
前記ＵＥが前記レイヤ１シグナリング中でセルを区別するためのキャリアアグリゲーションビットマップのうちの１つを含む、請求項１に記載の方法。
【請求項３】
前記ｅＩＭＴＡ構成情報は、
前記ＵＥが、ハンドオーバ中およびハンドオーバ後にダウンリンクハイブリッド自動再送要求（ＨＡＲＱ）シグナリングのタイムラインを決定するためのダウンリンク基準構成、または
ｅＩＭＴＡ固有アップリンク電力制御パラメータのうちの少なくとも１つを含む、請求項１に記載の方法。
【請求項４】
前記ｅＩＭＴＡ構成情報を生成することが、
ソースセル識別情報とワイヤレスネットワークトポロジー情報とに基づいて仮想セル識別情報を推定することと、
前記推定された仮想セル識別情報に基づいて前記ｅＩＭＴＡ構成情報を生成することとを含む、請求項１に記載の方法。
【請求項５】
前記ハンドオーバが完了した後に、前記推定された仮想セル識別情報が正しくないと決定することと、
前記推定された仮想セル識別情報が正しくないという前記決定に応答して、前記ＵＥに、補正されたｅＩＭＴＡ構成情報を含んでいる無線リソース制御（ＲＲＣ）接続再構成メッセージを送信することとをさらに備える、請求項４に記載の方法。
【請求項６】
前記ハンドオーバが完了した後に前記ＵＥから、チャネル状態情報基準信号（ＣＳＩ−ＲＳ）測定報告を含んでいるメッセージを受信することをさらに備え、
ここにおいて、前記推定された仮想セル識別情報が正しくないと前記決定することが、前記ＣＳＩ−ＲＳ測定報告に少なくとも部分的に基づく、請求項５に記載の方法。
【請求項７】
ワイヤレス通信のための方法であって、前記方法は、
ユーザ機器（ＵＥ）によって、ターゲットセルへの前記ＵＥのハンドオーバを実行するためのハンドオーバコマンドを受信することと、ここにおいて、前記ハンドオーバコマンドは、前記ＵＥがレイヤ１シグナリングによって前記ターゲットセルから新しい時分割複信（ＴＤＤ）構成情報を受信するための拡張干渉緩和およびトラフィック適応（ｅＩＭＴＡ）構成情報とＴＤＤ構成情報とを含んでおり、
前記ハンドオーバ中に前記ＵＥによって使用されるべき物理ランダムアクセスチャネル（ＰＲＡＣＨ）リソースを決定するために、前記ＵＥによって、前記ＴＤＤ構成情報を採用することと、
前記ハンドオーバが完了した後に、前記レイヤ１シグナリングによって前記ターゲットセルから前記新しいＴＤＤ構成情報を受信するために、前記ＵＥによって、前記ｅＩＭＴＡ構成情報を採用することとを備える、方法。
【請求項８】
前記ＵＥによって、前記ハンドオーバが完了した後に前記ターゲットセルから、補正されたｅＩＭＴＡ構成情報を含んでいる無線リソース制御（ＲＲＣ）接続再構成メッセージを受信することをさらに備え、
ここにおいて、前記新しいＴＤＤ構成情報を受信するために前記ｅＩＭＴＡ構成情報を採用することが、前記新しいＴＤＤ構成情報を受信するために前記補正されたｅＩＭＴＡ構成情報を採用することを含む、請求項７に記載の方法。
【請求項９】
ワイヤレス通信のための装置であって、前記装置は、
ユーザ機器（ＵＥ）がターゲットセルからレイヤ１シグナリングによって新しいＴＤＤ構成情報を受信するために、前記ターゲットセルによって、拡張干渉緩和およびトラフィック適応（ｅＩＭＴＡ）構成情報を生成するための手段と、
前記ターゲットセルによって、前記ターゲットセルへの前記ＵＥのハンドオーバを実行するためのハンドオーバコマンドを生成するための手段と、ここにおいて、前記ハンドオーバコマンドが、時分割複信（ＴＤＤ）構成情報と前記ｅＩＭＴＡ構成情報とを含んでおり、
前記ターゲットセルによって、前記ハンドオーバコマンドを送信するための手段と、
前記ターゲットセルによって、前記ハンドオーバが完了した後にレイヤ１シグナリングによって前記新しいＴＤＤ構成情報を前記ＵＥに送信するための手段とを備える、装置。
【請求項１０】
前記ｅＩＭＴＡ構成情報が、
グループ共通無線ネットワーク一時識別子（ＲＮＴＩ）、
グループインデックス、または
前記ＵＥが前記レイヤ１シグナリング中でセルを区別するためのキャリアアグリゲーションビットマップのうちの１つを含む、請求項９に記載の装置。
【請求項１１】
前記ｅＩＭＴＡ構成情報は、
前記ＵＥが、ハンドオーバ中およびハンドオーバ後にダウンリンクハイブリッド自動再送要求（ＨＡＲＱ）シグナリングのタイムラインを決定するためのダウンリンク基準構成、または
ｅＩＭＴＡ固有アップリンク電力制御パラメータのうちの少なくとも１つを含む、請求項９に記載の装置。
【請求項１２】
前記ｅＩＭＴＡ構成情報を生成するための前記手段は、
ソースセル識別情報とワイヤレスネットワークトポロジー情報とに基づいて仮想セル識別情報を推定するための手段と、
前記推定された仮想セル識別情報に基づいて前記ｅＩＭＴＡ構成情報を生成するための手段と、
前記ハンドオーバが完了した後に、前記推定された仮想セル識別情報が正しくないと決定するための手段と、
前記推定された仮想セル識別情報が正しくないという前記決定に応答して、前記ＵＥに、補正されたｅＩＭＴＡ構成情報を含んでいる無線リソース制御（ＲＲＣ）接続再構成メッセージを送信するための手段と、
前記ハンドオーバが完了した後に前記ＵＥから、チャネル状態情報基準信号（ＣＳＩ−ＲＳ）測定報告を含んでいるメッセージを受信するための手段とを含み、
ここにおいて、前記推定された仮想セル識別情報が正しくないと決定するための前記手段は、前記ＣＳＩ−ＲＳ測定報告に少なくとも部分的に基づいて、前記推定された仮想セル識別情報が正しくないと決定するための手段を含む、請求項９に記載の装置。
【請求項１３】
前記ハンドオーバが完了した後に、前記ＵＥのサウンディング基準信号（ＳＲＳ）を測定するための手段をさらに備え、
ここにおいて、前記推定された仮想セル識別情報が正しくないと決定するための前記手段は、前記ＵＥの前記ＳＲＳを前記測定することの結果に少なくとも部分的に基づいて、前記推定された仮想セル識別情報が正しくないと決定するための前記手段を含む、請求項１２に記載の装置。
【請求項１４】
ワイヤレス通信のための装置であって、前記装置は、
ターゲットセルへのハンドオーバを実行するためのハンドオーバコマンドを受信するための手段と、ここにおいて、前記ハンドオーバコマンドは、レイヤ１シグナリングによって前記ターゲットセルから新しい時分割複信（ＴＤＤ）構成情報を受信するための拡張干渉緩和およびトラフィック適応（ｅＩＭＴＡ）構成情報とＴＤＤ構成情報とを含んでおり、
前記ハンドオーバ中に使用されるべき物理ランダムアクセスチャネル（ＰＲＡＣＨ）リソースを決定するために前記ＴＤＤ構成情報を採用するための手段と、
前記ハンドオーバが完了した後に、前記レイヤ１シグナリングによって前記ターゲットセルから前記新しいＴＤＤ構成情報を受信するために前記ｅＩＭＴＡ構成情報を採用するための手段とを備える、装置。
【請求項１５】
コンピュータ上で実行されたとき、請求項１−１０のうちの一項にしたがった方法を実行するための命令を備える、コンピュータプログラム。
【手続補正２】
【補正対象書類名】明細書
【補正対象項目名】００９５
【補正方法】変更
【補正の内容】
【００９５】
[00112]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願の出願当初の特許請求の範囲に記載された発明を付記する。
［Ｃ１］
ワイヤレス通信のための方法であって、前記方法が、
ユーザ機器（ＵＥ）がターゲットセルからレイヤ１シグナリングによって新しいＴＤＤ構成情報を受信するために、前記ターゲットセルによって、拡張干渉緩和およびトラフィック適応（ｅＩＭＴＡ）構成情報を生成することと、
前記ターゲットセルによって、前記ターゲットセルへの前記ＵＥのハンドオーバを実行するためのハンドオーバコマンドを生成することと、ここにおいて、前記ハンドオーバコマンドが、時分割複信（ＴＤＤ）構成情報と前記ｅＩＭＴＡ構成情報とを含んでおり、
前記ターゲットセルによって、前記ハンドオーバコマンドを送信することと、
前記ターゲットセルによって、前記ハンドオーバが完了した後にレイヤ１シグナリングによって前記新しいＴＤＤ構成情報を前記ＵＥに送信することとを備える、方法。
［Ｃ２］
前記ｅＩＭＴＡ構成情報が、
グループ共通無線ネットワーク一時識別子（ＲＮＴＩ）、
グループインデックス、または
前記ＵＥが前記レイヤ１シグナリング中でセルを区別するためのキャリアアグリゲーションビットマップのうちの１つを含む、Ｃ１に記載の方法。
［Ｃ３］
前記ｅＩＭＴＡ構成情報は、
前記ＵＥが、ハンドオーバ中およびハンドオーバ後にダウンリンクハイブリッド自動再送要求（ＨＡＲＱ）シグナリングのタイムラインを決定するための前記ＵＥに関するダウンリンク基準構成、または
ｅＩＭＴＡ固有アップリンク電力制御パラメータのうちの少なくとも１つを含む、Ｃ１に記載の方法。
［Ｃ４］
前記ｅＩＭＴＡ構成情報を生成することが、
ソースセル識別情報とワイヤレスネットワークトポロジー情報とに基づいて仮想セル識別情報を推定することと、
前記推定された仮想セル識別情報に基づいて前記ｅＩＭＴＡ構成情報を生成することとを含む、Ｃ１に記載の方法。
［Ｃ５］
前記ハンドオーバが完了した後に、前記推定された仮想セル識別情報が正しくないと決定することと、
前記推定された仮想セル識別情報が正しくないという前記決定に応答して、前記ＵＥに、補正されたｅＩＭＴＡ構成情報を含んでいる無線リソース制御（ＲＲＣ）接続再構成メッセージを送信することとをさらに備える、Ｃ４に記載の方法。
［Ｃ６］
前記ハンドオーバが完了した後に前記ＵＥから、チャネル状態情報基準信号（ＣＳＩ−ＲＳ）測定報告を含んでいるメッセージを受信することをさらに備え、
ここにおいて、前記推定された仮想セル識別情報が正しくないと前記決定することが、前記ＣＳＩ−ＲＳ測定報告に少なくとも部分的に基づく、Ｃ５に記載の方法。
［Ｃ７］
前記ハンドオーバが完了した後に、前記ＵＥのサウンディング基準信号（ＳＲＳ）を測定することをさらに備え、
ここにおいて、前記推定された仮想セル識別情報が正しくないと前記決定することが、前記ＵＥの前記ＳＲＳを前記測定することの結果に少なくとも部分的に基づく、Ｃ５に記載の方法。
［Ｃ８］
前記補正されたｅＩＭＴＡ構成情報の送信の後にフレキシブルサブフレーム上での前記ＵＥへの送信をスケジュールすることをさらに備える、Ｃ５に記載の方法。
［Ｃ９］
前記推定された仮想セル識別情報が正しいと決定することと、
前記推定された仮想セル識別情報が正しいと前記決定することの後にフレキシブルサブフレーム上での前記ＵＥへの送信をスケジュールすることとをさらに備える、Ｃ５に記載の方法。
［Ｃ１０］
前記ハンドオーバが完了した後に前記ＵＥから、チャネル状態情報基準信号（ＣＳＩ−ＲＳ）測定報告を含んでいるメッセージを受信することをさらに備え、
ここにおいて、前記推定された仮想セル識別情報が正しいと前記決定することが、前記ＣＳＩ−ＲＳ測定報告に少なくとも部分的に基づく、Ｃ９に記載の方法。
［Ｃ１１］
前記ハンドオーバが完了した後に、前記ＵＥのサウンディング基準信号（ＳＲＳ）を測定することをさらに備え、
ここにおいて、前記推定された仮想セル識別情報が正しいと前記決定することが、前記ＵＥの前記ＳＲＳを前記測定することの結果に少なくとも部分的に基づく、Ｃ９に記載の方法。
［Ｃ１２］
前記ターゲットセルによって、前記ＵＥのサウンディング基準信号（ＳＲＳ）を測定することと、
前記ＵＥの前記ＳＲＳを前記測定することに基づいて仮想セル識別情報を決定することとをさらに備え、
ここにおいて、前記ｅＩＭＴＡ構成情報を前記生成することが、前記決定された仮想セル識別情報に基づいて前記ｅＩＭＴＡ構成情報を生成することを含む、Ｃ１に記載の方法。
［Ｃ１３］
前記ＵＥの前記ＳＲＳを前記測定することをガードするタイマーを採用することをさらに備える、Ｃ１２に記載の方法。
［Ｃ１４］
前記ターゲットセルによって、前記ターゲットセルへの前記ＵＥの前記ハンドオーバを実行するようにとのハンドオーバ要求を受信すること、ここにおいて、前記ハンドオーバ要求が仮想セル識別情報を含んでいる、をさらに備え、
ここにおいて、前記ｅＩＭＴＡ構成情報を前記生成することが、前記ハンドオーバ要求中に含まれている前記仮想セル識別情報に基づいて前記ｅＩＭＴＡ構成情報を生成することを含む、Ｃ１に記載の方法。
［Ｃ１５］
前記ターゲットセルによって、前記ターゲットセルへの前記ＵＥの前記ハンドオーバを実行するようにとのハンドオーバ要求を受信することと、ここにおいて、前記ハンドオーバ要求が、前記ターゲットセルの１つまたは複数の仮想セルの測定されたチャネル状態情報基準信号（ＣＳＩ−ＲＳ）に基づくＣＳＩ−ＲＳ測定報告の少なくとも一部を含んでおり、
前記ターゲットセルによって、前記ＣＳＩ−ＲＳ測定報告の前記少なくとも一部に基づいて仮想セル識別情報を決定することとをさらに備え、
ここにおいて、前記ｅＩＭＴＡ構成情報を前記生成することが、前記決定された仮想セル識別情報に基づいて前記ｅＩＭＴＡ構成情報を生成することを含む、Ｃ１に記載の方法。
［Ｃ１６］
ワイヤレス通信のための方法であって、前記方法は、
ユーザ機器（ＵＥ）によって、ターゲットセルへの前記ＵＥのハンドオーバを実行するためのハンドオーバコマンドを受信することと、ここにおいて、前記ハンドオーバコマンドは、前記ＵＥがレイヤ１シグナリングによって前記ターゲットセルから新しい時分割複信（ＴＤＤ）構成情報を受信するための拡張干渉緩和およびトラフィック適応（ｅＩＭＴＡ）構成情報とＴＤＤ構成情報とを含んでおり、
前記ハンドオーバ中に前記ＵＥによって使用されるべき物理ランダムアクセスチャネル（ＰＲＡＣＨ）リソースを決定するために、前記ＵＥによって、前記ＴＤＤ構成情報を採用することと、
前記ハンドオーバが完了した後に、前記レイヤ１シグナリングによって前記ターゲットセルから前記新しいＴＤＤ構成情報を受信するために、前記ＵＥによって、前記ｅＩＭＴＡ構成情報を採用することとを備える、方法。
［Ｃ１７］
前記ＵＥによって、前記ハンドオーバが完了した後に前記ターゲットセルから、補正されたｅＩＭＴＡ構成情報を含んでいる無線リソース制御（ＲＲＣ）接続再構成メッセージを受信することをさらに備え、
ここにおいて、前記新しいＴＤＤ構成情報を受信するために前記ｅＩＭＴＡ構成情報を採用することが、前記新しいＴＤＤ構成情報を受信するために前記補正されたｅＩＭＴＡ構成情報を採用することを含む、Ｃ１６に記載の方法。
［Ｃ１８］
ワイヤレス通信のための装置であって、前記装置は、
ユーザ機器（ＵＥ）がターゲットセルからレイヤ１シグナリングによって新しいＴＤＤ構成情報を受信するために、前記ターゲットセルによって、拡張干渉緩和およびトラフィック適応（ｅＩＭＴＡ）構成情報を生成するための手段と、
前記ターゲットセルによって、前記ターゲットセルへの前記ＵＥのハンドオーバを実行するためのハンドオーバコマンドを生成するための手段と、ここにおいて、前記ハンドオーバコマンドが、時分割複信（ＴＤＤ）構成情報と前記ｅＩＭＴＡ構成情報とを含んでおり、
前記ターゲットセルによって、前記ハンドオーバコマンドを送信するための手段と、
前記ターゲットセルによって、前記ハンドオーバが完了した後にレイヤ１シグナリングによって前記新しいＴＤＤ構成情報を前記ＵＥに送信するための手段とを備える、装置。
［Ｃ１９］
前記ｅＩＭＴＡ構成情報が、
グループ共通無線ネットワーク一時識別子（ＲＮＴＩ）、
グループインデックス、または
前記ＵＥが前記レイヤ１シグナリング中でセルを区別するためのキャリアアグリゲーションビットマップのうちの１つを含む、Ｃ１８に記載の装置。
［Ｃ２０］
前記ｅＩＭＴＡ構成情報は、
前記ＵＥが、ハンドオーバ中およびハンドオーバ後にダウンリンクハイブリッド自動再送要求（ＨＡＲＱ）シグナリングのタイムラインを決定するためのダウンリンク基準構成、または
ｅＩＭＴＡ固有アップリンク電力制御パラメータのうちの少なくとも１つを含む、Ｃ１８に記載の装置。
［Ｃ２１］
前記ｅＩＭＴＡ構成情報を生成するための前記手段は、
ソースセル識別情報とワイヤレスネットワークトポロジー情報とに基づいて仮想セル識別情報を推定するための手段と、
前記推定された仮想セル識別情報に基づいて前記ｅＩＭＴＡ構成情報を生成するための手段と、
前記ハンドオーバが完了した後に、前記推定された仮想セル識別情報が正しくないと決定するための手段と、
前記推定された仮想セル識別情報が正しくないという前記決定に応答して、前記ＵＥに、補正されたｅＩＭＴＡ構成情報を含んでいる無線リソース制御（ＲＲＣ）接続再構成メッセージを送信するための手段と、
前記ハンドオーバが完了した後に前記ＵＥから、チャネル状態情報基準信号（ＣＳＩ−ＲＳ）測定報告を含んでいるメッセージを受信するための手段とを含み、
ここにおいて、前記推定された仮想セル識別情報が正しくないと決定するための前記手段は、前記ＣＳＩ−ＲＳ測定報告に少なくとも部分的に基づいて、前記推定された仮想セル識別情報が正しくないと決定するための手段を含む、Ｃ１８に記載の装置。
［Ｃ２２］
前記ハンドオーバが完了した後に、前記ＵＥのサウンディング基準信号（ＳＲＳ）を測定するための手段をさらに備え、
ここにおいて、前記推定された仮想セル識別情報が正しくないと決定するための前記手段は、前記ＵＥの前記ＳＲＳを前記測定することの結果に少なくとも部分的に基づいて、前記推定された仮想セル識別情報が正しくないと決定するための前記手段を含む、Ｃ２１に記載の装置。
［Ｃ２３］
前記補正されたｅＩＭＴＡ構成情報の送信の後にフレキシブルサブフレーム上での前記ＵＥへの送信をスケジュールするための手段をさらに備える、Ｃ２１に記載の装置。
［Ｃ２４］
前記推定された仮想セル識別情報が正しいと決定するための手段と、
前記推定された仮想セル識別情報が正しいと前記決定することの後にフレキシブルサブフレーム上での前記ＵＥへの送信をスケジュールするための手段とをさらに備える、Ｃ２１に記載の装置。
［Ｃ２５］
前記ハンドオーバが完了した後に前記ＵＥから、チャネル状態情報基準信号（ＣＳＩ−ＲＳ）測定報告を含んでいるメッセージを受信するための手段をさらに備え、
ここにおいて、前記推定された仮想セル識別情報が正しいと決定するための前記手段は、前記ＣＳＩ−ＲＳ測定報告に少なくとも部分的に基づいて、前記推定された仮想セル識別情報が正しいと決定するための手段を含む、Ｃ２４に記載の装置。
［Ｃ２６］
前記ハンドオーバが完了した後に、前記ＵＥのサウンディング基準信号（ＳＲＳ）を測定するための手段をさらに備え、
ここにおいて、前記推定された仮想セル識別情報が正しいと決定するための前記手段は、前記ＵＥの前記ＳＲＳを前記測定することの結果に少なくとも部分的に基づいて、前記推定された仮想セル識別情報が正しいと決定するための手段を含む、Ｃ２４に記載の装置。
［Ｃ２７］
前記ターゲットセルによって、前記ＵＥのサウンディング基準信号（ＳＲＳ）を測定するための手段と、
前記ＵＥの前記ＳＲＳの前記測定をガードするためにタイマーを採用するための手段と、
前記ＵＥの前記ＳＲＳの前記測定に基づいて仮想セル識別情報を決定するための手段とをさらに備え、
ここにおいて、前記ｅＩＭＴＡ構成情報を生成するための前記手段が、前記決定された仮想セル識別情報に基づいて前記ｅＩＭＴＡ構成情報を生成するための手段を含む、Ｃ１８に記載の装置。
［Ｃ２８］
前記ターゲットセルによって、前記ターゲットセルへの前記ＵＥの前記ハンドオーバを実行するようにとのハンドオーバ要求を受信するための手段、ここにおいて、前記ハンドオーバ要求が仮想セル識別情報を含んでいる、をさらに備え、
ここにおいて、前記ｅＩＭＴＡ構成情報を生成するための前記手段が、前記ハンドオーバ要求中に含まれている前記仮想セル識別情報に基づいて前記ｅＩＭＴＡ構成情報を生成するための手段を含む、Ｃ１８に記載の装置。
［Ｃ２９］
前記ターゲットセルによって、前記ターゲットセルへの前記ＵＥの前記ハンドオーバを実行するようにとのハンドオーバ要求を受信するための手段と、ここにおいて、前記ハンドオーバ要求が、前記ターゲットセルの１つまたは複数の仮想セルの測定されたチャネル状態情報基準信号（ＣＳＩ−ＲＳ）に基づくＣＳＩ−ＲＳ測定報告の少なくとも一部を含んでおり、
前記ターゲットセルによって、前記ＣＳＩ−ＲＳ測定報告の前記少なくとも一部に基づいて仮想セル識別情報を決定するための手段とをさらに備え、
ここにおいて、前記ｅＩＭＴＡ構成情報を生成するための前記手段が、前記決定された仮想セル識別情報に基づいて前記ｅＩＭＴＡ構成情報を生成するための手段を含む、Ｃ１８に記載の装置。
［Ｃ３０］
ワイヤレス通信のために構成された装置であって、
少なくとも１つのプロセッサと、
前記少なくとも１つのプロセッサに結合されたメモリとを備え、
ここにおいて、前記少なくとも１つのプロセッサは、
ユーザ機器（ＵＥ）がターゲットセルからレイヤ１シグナリングによって新しいＴＤＤ構成情報を受信するために、前記ターゲットセルによって、拡張干渉緩和およびトラフィック適応（ｅＩＭＴＡ）構成情報を生成することと、
前記ターゲットセルによって、前記ターゲットセルへの前記ＵＥのハンドオーバを実行するためのハンドオーバコマンドを生成することと、ここにおいて、前記ハンドオーバコマンドが、時分割複信（ＴＤＤ）構成情報と前記ｅＩＭＴＡ構成情報とを含んでおり、
前記ターゲットセルによって、前記ハンドオーバコマンドを送信することと、
前記ターゲットセルによって、前記ハンドオーバが完了した後にレイヤ１シグナリングによって前記新しいＴＤＤ構成情報を前記ＵＥに送信することとを行うように構成された、装置。